(57)【要約】【課題】ガタ付き防止のための押圧皿体を有しながら、係合解除のための操作片を、押圧皿体の邪魔にならずに設けることができ、それにより、ワイヤーハーネス固定用のクリップのように取付ブラケットがない場合にも適用できるようにした部材固定用クリップを提供する。【解決手段】支柱１１と弾性係止羽根１２とスカート状の押圧皿体１８とを備える部材固定用クリップ１０において、押圧皿体１８が２つの半月状皿体１８Ａに分割され、これら２つの半月状皿体１８Ａが、支柱１１を挟む両側に互いの間に隙間１９をあけて配置されると共に、その状態で支柱１１の側部に結合されており、一方、各弾性係止羽根１２の自由端の先側に操作片１４が延長して設けられ、各操作片１４が２つの半月状皿体１８Ａの間の隙間１９から半月状皿体１８Ａの上側に突き出している。【選択図】図１
2010276041.tif 000002
【特許請求の範囲】
【請求項１】
ワイヤハーネスを保持する保持部材に突設された支柱と、
前記支柱の先端から該支柱の基端側に向けて斜めに拡がるように延設され、パネルの取付孔に前記支柱の先端側から挿入されたときに、外面が前記取付孔の周縁に摺接することで一旦内側に弾性的に窄まり、該外面に設けられた係止段部が前記取付孔の周縁を通過した段階で外側に弾性復元して、該係止段部を前記取付孔の裏面側の周縁に係合させ、それにより前記取付孔からの抜けを阻止する一対の弾性係止羽根と、
前記係止段部が前記取付孔の裏面側の周縁に係合したときに前記パネルの表面に押圧接触することで、前記弾性係止羽根との間にパネルを挟持するスカート状の押圧皿体と、
を備える部材固定用クリップであって、
前記押圧皿体が２つの半月状皿体に分割され、これら２つの半月状皿体が、前記支柱を挟む両側に互いの間に隙間をあけて配置されると共に、その状態で前記支柱の側部に結合され、
前記各弾性係止羽根の自由端の先側に操作片が延長して設けられ、各操作片が前記２つの半月状皿体の間の隙間から当該半月状皿体の上側に突き出していることを特徴とする部材固定用クリップ。
【請求項２】
前記係止段部が、前記各弾性係止羽根の延在方向に多段に設けられていることを特徴とする請求項１に記載した部材固定用クリップ。
【請求項３】
前記係止段部は、前記支柱から前記係止段部までの距離が、前記弾性係止羽根の先端に近い段ほど大きくなるよう形成されていることを特徴とする請求項２に記載した部材固定用クリップ。
【請求項４】
ワイヤハーネスを保持する保持部材に突設された支柱と、
前記支柱の先端から該支柱の基端側に向けて斜めに拡がるように延設され、パネルの取付孔に前記支柱の先端側から挿入されたときに、外面が前記取付孔の周縁に摺接することで一旦内側に弾性的に窄まり、該外面に設けられた係止段部が前記取付孔の周縁を通過した段階で外側に弾性復元して、該係止段部を前記取付孔の裏面側の周縁に係合させ、それにより前記取付孔からの抜けを阻止する複数の弾性係止羽根と、
前記係止段部が前記取付孔の裏面側の周縁に係合したときに前記パネルの表面に押圧接触することで、前記弾性係止羽根との間にパネルを挟持するスカート状の押圧皿体と、
を備える部材固定用クリップであって、
前記押圧皿体は、前記支柱および前記弾性係止羽根を有するクリップ本体とは別部材の環状皿体として構成され、
前記各弾性係止羽根には、該各弾性係止羽根の自由端の先側に操作片が延長して設けられ、各操作片の先端と前記係止段部との間に位置する該弾性係止羽根の外面に、前記環状皿体に形成された開口の内周縁に嵌まることで該環状皿体を定位置に保持する皿保持部が設けられ、
前記皿保持部に前記環状皿体が保持された状態で、前記操作片が前記環状皿体に形成された開口を貫通して該環状皿体の上側にまで突き出していることを特徴とする部材固定用クリップ。
【請求項５】
互いに積層した状態で前記弾性係止羽根の皿保持部に保持されるよう、複数枚の前記環状皿体が設けられていることを特徴とする請求項４に記載した部材固定用クリップ。
【請求項６】
前記係止段部が、前記各弾性係止羽根の延在方向に多段に設けられていることを特徴とする請求項４または５に記載した部材固定用クリップ。
【請求項７】
前記係止段部は、前記支柱から該係止段部までの距離が、前記弾性係止羽根の先端に近い段ほど大きくなるよう形成されていることを特徴とする請求項６に記載した部材固定用クリップ。
【発明の詳細な説明】
【技術分野】
【０００１】
本発明は、パネルの取付孔に係合させた状態からの取り外しが容易な部材固定用クリップに関するものである。
【背景技術】
【０００２】
一般的なこの種の部材固定用クリップの例として、取付対象物（ワイヤーハーネスなど）を保持する保持部材（結束バンドの基端部など）に突設された支柱と、その支柱の先端から該支柱の基端側に向けて斜めに拡がるように一体に延設され、固定対象のパネルの取付孔に支柱の先端側から挿入されたときに、外面が前記取付孔の周縁に摺接することで一旦内側に弾性的に窄まり、自由端側の外面に設けられた係止段部が前記取付孔の周縁を通過した段階で外側に弾性復元して、係止段部を取付孔の裏面側の周縁に係合させ、それにより前記取付孔からの抜けを阻止する一対の弾性係止羽根と、係止段部が前記取付孔の裏面側の周縁に係合したときにパネルの表面に押圧接触することで、弾性係止羽根との間にパネルを挟持するスカート状の押圧皿体と、を具備する部材固定用クリップが知られている。
【０００３】
ところで、この種のクリップで取付対象物をパネルに固定した場合、後からクリップを取り外したいという要望が出てくることがある。例えば、この種のクリップを使用して、車体パネルにワイヤーハーネスを固定した場合、車両の解体に伴って、リサイクルのためにワイヤーハーネスを車体から引き剥がすときに、クリップを車体パネルから容易に取り外したいという要望がある。
【０００４】
そのような要望に応えるものとして、弾性係止羽根の自由端の先に操作片を延長して設け、パネルにクリップを取り付けたときに、操作片が取付孔からパネルの内側（手前側）に延びるようにして、取り外し時に、それら操作片を摘んで内側に変位させることで、弾性係止羽根を内側に窄めて、パネルの取付孔の周縁と係止段部との係合を解き、クリップを取付孔から抜けるようにしたものがある。
【０００５】
しかし、このような操作片を設ける際に、前述の押圧皿体がある場合は、パネルの表側に操作片を延ばすことが難しくなる。
【０００６】
従来、そのような押圧皿体の代わりに押圧バネ片を設けるものは公知例としてある。
図８および図９は特許文献１に記載された従来のクリップを示している。
【０００７】
このクリップ１１０は、ヒューズブロック１００の取付ブラケット１０１の下面に設けられたもので、取付ブラケット１０１の下面に突設された支柱１１１と、支柱１１１の先端から支柱１１１の基端側に向けて斜めに拡がるように一体に延設され、パネル１の取付孔２に支柱１１１の先端側から挿入されたときに、外面が取付孔２の周縁に摺接することで一旦内側に弾性的に窄まり、自由端側の外面に設けられた係止段部１１３が取付孔２の周縁を通過した段階で外側に弾性復元して、係止段部１１３を取付孔２の裏面側の周縁に係合させて、それにより取付孔２からの抜けを阻止する一対の弾性係止羽根１１２と、弾性係止羽根１１２がパネル１の取付孔２に係合されているときにパネル１の表面に押圧接触することで、弾性係止羽根１１２との間にパネル１を挟持する押圧バネ片１０３と、を備えている。
【０００８】
そして、弾性係止羽根１１２の自由端の先端には延長して操作片１１４が設けられ、それら操作片１１４を取付ブラケット１０１に貫通した貫通孔１０２から取付ブラケット１０１の上側に突き出させている。また、押圧バネ片１０３は、取付ブラケット１０１の下側の貫通孔１０２の周縁に設けられている。
【０００９】
このクリップ１１０を外す場合は、取付ブラケット１０１の貫通孔１０２から飛び出している２つの操作片１１４を摘んで内側に変位させる。そうすると、弾性係止羽根１１２が内側に窄まることで、パネル１の取付孔２に対する弾性係止羽根１１２の係合が解除されるので、そのまま取付孔２からクリップ１１０を抜くことができる。
【先行技術文献】
【特許文献】
【００１０】
【特許文献１】実開平５−７０１２２号公報
【発明の概要】
【発明が解決しようとする課題】
【００１１】
ところで、上記ヒューズボックス１００のように板状の取付ブラケット１０１があるような場合は、押圧皿体の代わりに、押圧バネ片１０３を取付ブラケット１０１の下面に設けることは難しくないが、ワイヤーハーネス固定用クリップのように、取付ブラケット１０１に類するものがないような場合は、押圧バネ片や押圧皿体を操作片と共存させて設けることは難しい場合が多かった。
【００１２】
本発明は、上述した事情に鑑みてなされたものであり、その目的は、ガタ付き防止のための押圧皿体を有しながら、係合解除のための操作片を、押圧皿体の邪魔にならずに設けることができ、それにより、ワイヤーハーネス固定用のクリップのように取付ブラケットがない場合にも適用できるようにした部材固定用クリップを提供することにある。
【課題を解決するための手段】
【００１３】
前述した目的を達成するために、本発明に係る部材固定用クリップは、下記（１）〜（７）を特徴としている。
（１）  ワイヤハーネスを保持する保持部材に突設された支柱と、
前記支柱の先端から該支柱の基端側に向けて斜めに拡がるように延設され、パネルの取付孔に前記支柱の先端側から挿入されたときに、外面が前記取付孔の周縁に摺接することで一旦内側に弾性的に窄まり、該外面に設けられた係止段部が前記取付孔の周縁を通過した段階で外側に弾性復元して、該係止段部を前記取付孔の裏面側の周縁に係合させ、それにより前記取付孔からの抜けを阻止する一対の弾性係止羽根と、
前記係止段部が前記取付孔の裏面側の周縁に係合したときに前記パネルの表面に押圧接触することで、前記弾性係止羽根との間にパネルを挟持するスカート状の押圧皿体と、
を備える部材固定用クリップであって、
前記押圧皿体が２つの半月状皿体に分割され、これら２つの半月状皿体が、前記支柱を挟む両側に互いの間に隙間をあけて配置されると共に、その状態で前記支柱の側部に結合され、
前記各弾性係止羽根の自由端の先側に操作片が延長して設けられ、各操作片が前記２つの半月状皿体の間の隙間から当該半月状皿体の上側に突き出していること。
（２）  上記（１）の構成の部材固定用クリップにおいて、
前記係止段部が、前記各弾性係止羽根の延在方向に多段に設けられていること。
（３）  上記（２）の構成の部材固定用クリップにおいて、
前記係止段部は、前記支柱から前記係止段部までの距離が、前記弾性係止羽根の先端に近い段ほど大きくなるよう形成されていること。
（４）  ワイヤハーネスを保持する保持部材に突設された支柱と、
前記支柱の先端から該支柱の基端側に向けて斜めに拡がるように延設され、パネルの取付孔に前記支柱の先端側から挿入されたときに、外面が前記取付孔の周縁に摺接することで一旦内側に弾性的に窄まり、該外面に設けられた係止段部が前記取付孔の周縁を通過した段階で外側に弾性復元して、該係止段部を前記取付孔の裏面側の周縁に係合させ、それにより前記取付孔からの抜けを阻止する複数の弾性係止羽根と、
前記係止段部が前記取付孔の裏面側の周縁に係合したときに前記パネルの表面に押圧接触することで、前記弾性係止羽根との間にパネルを挟持するスカート状の押圧皿体と、
を備える部材固定用クリップであって、
前記押圧皿体は、前記支柱および前記弾性係止羽根を有するクリップ本体とは別部材の環状皿体として構成され、
前記各弾性係止羽根には、該各弾性係止羽根の自由端の先側に操作片が延長して設けられ、各操作片の先端と前記係止段部との間に位置する該弾性係止羽根の外面に、前記環状皿体に形成された開口の内周縁に嵌まることで該環状皿体を定位置に保持する皿保持部が設けられ、
前記皿保持部に前記環状皿体が保持された状態で、前記操作片が前記環状皿体に形成された開口を貫通して該環状皿体の上側にまで突き出していること。
（５）  上記（４）の構成の部材固定用クリップにおいて、
互いに積層した状態で前記弾性係止羽根の皿保持部に保持されるよう、複数枚の前記環状皿体が設けられていること。
（６）  上記（４）または（５）の構成の部材固定用クリップにおいて、
前記係止段部が、前記各弾性係止羽根の延在方向に多段に設けられていること。
（７）  上記（６）の構成の部材固定用クリップにおいて、
前記係止段部は、前記支柱から該係止段部までの距離が、前記弾性係止羽根の先端に近い段ほど大きくなるよう形成されていること。
【００１４】
上記（１）の構成の部材固定用クリップによれば、係合時にパネルの表面に押圧接触する押圧皿体を、２つの半月状皿体に分割し、２つの半月状皿体の間の隙間を通して、弾性係止羽根の自由端に延長して設けた操作片を、押圧皿体の上側に突き出させたので、押圧皿体の機能を阻害せずに操作片を設けることができ、操作片を操作することで、クリップをパネルの取付孔から容易に取り外すことができる。しかも、この場合、半月状皿体は支柱の側部に固定しているので、弾性係止羽根を支持する支柱がありさえすれば、どのようなクリップにも適用することができる。
上記（２）の構成の部材固定用クリップによれば、弾性係止羽根に多段に係止段部を設けているので、パネルの厚みに応じて、最適な係止段部を取付孔の周縁に係止させることができ、ガタつきのない固定が可能になる。
上記（３）の構成の部材固定用クリップによれば、係止段部は、支柱から係止段部までの距離が、弾性係止羽根の先端に近い段ほど大きくなるよう異ならせて設定されているので、パネルの取付孔の径の大きさに応じて、最適な係止段部を取付孔の周縁に係止させることができ、ガタつきのない固定が可能になる。
上記（４）の構成の部材固定用クリップによれば、押圧皿体を、クリップ本体とは別部材の環状皿体として構成し、その環状皿体に形成された該環状皿体を貫通する開口を通して、弾性係止羽根の自由端に延長して設けた操作片を、環状皿体の上側に突き出させたので、押圧皿体の機能を阻害せずに操作片を設けることができ、その操作片を操作することで、クリップをパネルの取付孔から容易に取り外すことができる。しかも、この場合、押圧皿体を構成する環状皿体は弾性係止羽根の外面に設けた皿保持部により保持しているので、弾性係止羽根がありさえすれば、どのようなクリップにも適用することができる。また、弾性係止羽根を囲むように環状皿体が位置するので、弾性係止羽根の過剰変形を防止することができる。更に、このクリップによれば、クリップ本体と環状皿体を別体にしているので、加工性が向上する。
上記（５）の構成の部材固定用クリップによれば、押圧皿体を構成する環状皿体を複数枚重ねて使用できるようにしているので、使用する環状皿体の枚数を加減することにより、種々のパネルの厚さに対応させることができる。
上記（６）の構成の部材固定用クリップによれば、弾性係止羽根に多段に係止段部を設けているので、パネルの厚みに応じて、最低な係止段部を取付孔の周縁に係止させることができ、ガタつきのない固定が可能になる。
上記（７）の構成の部材固定用クリップによれば、係止段部は、支柱から係止段部までの距離が、弾性係止羽根の先端に近い段ほど大きくなるよう異ならせて設定されているので、パネルの取付孔の径の大きさに応じて、最適な係止段部を取付孔の周縁に係止させることができ、ガタつきのない固定が可能になる。
【発明の効果】
【００１５】
本発明によれば、クリップをパネルの取付孔から容易に取り外すことができる。しかも、弾性係止羽根を支持する支柱や弾性係止羽根がありさえすれば、どのようなクリップにも適用することができる。
【００１６】
以上、本発明について簡潔に説明した。更に、以下に説明される発明を実施するための形態を添付の図面を参照して通読することにより、本発明の詳細は更に明確化されるであろう。
【図面の簡単な説明】
【００１７】
【図１】本発明の第１実施形態のクリップの構成を示す斜視図である。
【図２】同クリップの構成およびパネルに係合させた状態から取り外すまでの工程を順に示す図で、（ａ）はパネルに取り付ける前の状態を示す側面図、（ｂ）はパネルに取り付けた状態を示す側面図、（ｃ）はパネルから取り外す際の初期の状態を示す側面図、（ｄ）はパネルから取り外した状態を示す側面図である。
【図３】本発明の第２実施形態のクリップの構成図で、（ａ）はクリップとして組み立てる前の状態を示す斜視図、（ｂ）はクリップとして組み立てた後の状態を示す斜視図である。
【図４】同クリップを組み立てる際の作用を説明するための図で、（ａ）は組み立て途中の状態を示す側断面図、（ｂ）は組み立てた後の状態を示す側断面図である。
【図５】同クリップをパネルの取付孔に係合させる際の作用を説明するための図で、（ａ）はパネルの取付孔にクリップを挿入しようとしている状態を示す側断面図、（ｂ）はパネルの取付孔にクリップを係合させた状態を示す側断面図である。
【図６】同クリップをパネルの取付孔に係合させた状態から取り外す際の作用を説明するための図で、（ａ）は取り外しのために操作片を内側に変位させた状態を示す側断面図、（ｂ）はパネルの取付孔からクリップを抜いた状態を示す側断面図である。
【図７】同クリップにパネルの厚さ調整のために押圧皿体を２枚重ねて装着し、その状態でパネルの取付孔にクリップを係合させた状態を示す側断面図である。
【図８】従来のクリップの下から見た斜視図である。
【図９】従来のクリップをパネルの取付孔に係合させた状態を示す側断面図である。
【発明を実施するための形態】
【００１８】
以下、本発明の実施形態を図面を参照して説明する。
【００１９】
＜第１実施形態＞
図１は本発明の第１実施形態のクリップの構成を示す斜視図、図２は同クリップの構成およびパネルに係合させた状態から取り外すまでの工程を順に示す図で、（ａ）はパネルに取り付ける前の状態を示す側面図、（ｂ）はパネルに取り付けた状態を示す側面図、（ｃ）はパネルから取り外す際の初期の状態を示す側面図、（ｄ）はパネルから取り外した状態を示す側面図である。
【００２０】
図１および図２に示すように、このクリップ１０は、取付対象物（例えばワイヤーハーネスなど）を保持する保持部材（結束バンドの基部など）に突設された支柱１１と、その支柱１１の先端から支柱の基端１１Ａ側に向けて斜めに拡がるように一体に延設された弾性係止羽根１２と、スカート状の押圧皿体１８と、を具備するものであり、全体が合成樹脂の一体成形品として構成されている。
【００２１】
一対の弾性係止羽根１２は、固定対象のパネル１の取付孔２に支柱１１の先端側から挿入されたときに、外面が取付孔２の周縁に摺接することで一旦内側に弾性的に窄まり、自由端側の外面に設けられた係止段部１３が取付孔２の周縁を通過した段階で外側に弾性復元して、係止段部１３を取付孔２の裏面側の周縁に係合させて、それにより取付孔２からの抜けを阻止する。
【００２２】
押圧皿体１８は、係止段部１３が取付孔２の裏面側の周縁に係合したときにパネル１の表面に押圧接触することで、弾性係止羽根１２との間にパネル１を挟持するもので、これによりクリップ１０がガタ付きなくパネル１に固定可能となる。
【００２３】
図１に示すように、本実施形態のクリップ１０においては、押圧皿体１８が２つの半月状皿体１８Ａに分割されている。そして、これら２つの半月状皿体１８Ａが、支柱１１を挟む両側に互いの間に隙間１９をあけて配置されると共に、その状態で支柱１１の側部に結合されている。
【００２４】
また、各弾性係止羽根１２の自由端の先側には、係合解除用の操作片１４が延長して設けられ、これら各操作片１４が、２つの半月状皿体１８Ａの間の隙間１９から半月状皿体１８Ａの上側に突き出している。
【００２５】
また、本実施形態では、係止段部１３は、各弾性係止羽根１２の延在方向に多段（図示例では２段）に設けられており、しかも、支柱１１から係止段部１３までの距離が、弾性係止羽根１２の先端に近い段ほど大きくなるよう形成されている。
【００２６】
次に作用を説明する。
図２（ａ）に示す本実施形態のクリップ１０をパネル１の取付孔２に係合させるには、支柱１１の先端側を取付孔２に挿入する。そうすると、弾性係止羽根１２の外面が取付孔２の周縁に摺接することで、弾性係止羽根１２が一旦内側に弾性的に窄まる。更に挿入すると、弾性係止羽根１２の自由端側の外面に設けられた係止段部１３が取付孔２の周縁を通過したところで、弾性係止羽根１２が外側に弾性復元して、係止段部１３が取付孔２の裏面側の周縁に係合する。それにより、取付孔２からのクリップ１０の抜けが阻止される。また、同時に押圧皿体１８を構成する２つの半月状皿体１８Ａが、パネル１の表面側に押圧接触することで、パネル１が弾性係止羽根１２の係止段部１３と押圧皿体１８との間に挟持され、それにより、図２（ｂ）に示すようにクリップ１０がガタ付きなくパネル１の取付孔２に係合される。
【００２７】
この状態からクリップ１０を取り外す場合は、図２（ｃ）に示すように、２つの半月状皿体１８Ａの隙間１９（図１参照）から上側に突き出している２つの操作片１４を、ペンチや指等で摘んで、矢印Ａのように内側に変位させる。そうすると、２つの弾性係止羽根１２が内側に窄まることで、係止段部１３が取付孔２の周縁から離れる。従ってそのまま、図２（ｄ）中の矢印Ｂで示すように、クリップ１０を上に持ち上げることで、取付孔２からクリップ１０を取り外すことができる。
【００２８】
このように、本実施形態のクリップ１０は、係合時にパネル１の表面に押圧接触する押圧皿体１８を、２つの半月状皿体１８Ａに分割し、２つの半月状皿体１８Ａの間の隙間１９を通して、弾性係止羽根１２の自由端に延長して設けた操作片１４を、押圧皿体１８の上側に突き出させているので、押圧皿体１８の機能を阻害せずに操作片１４を設けることができ、操作片１４を操作することで、クリップ１０をパネル１の取付孔２から容易に取り外すことができる。しかも、半月状皿体１８Ａは支柱１１の側部に固定しているので、弾性係止羽根１２を支持する支柱１１がありさえすれば、どのようなクリップにも適用することができる。
【００２９】
また、弾性係止羽根１２には多段に係止段部１３が設けられているので、パネル１の厚みに応じて、最適な係止段部１３を取付孔２の周縁に係止させることができ、ガタつきのない固定が可能になる。また、支柱１１から係止段部１３までの距離が、弾性係止羽根１２の先端に近い段ほど大きくなるよう異ならせて設定されているので、パネル１の取付孔２の径の大きさに応じて、最適な係止段部１３を取付孔２の周縁に係止させることができ、ガタつきのない固定が可能になる。
【００３０】
＜第２実施形態＞
図３は本発明の第２実施形態のクリップの構成図で、（ａ）はクリップとして組み立てる前の状態を示す斜視図、（ｂ）はクリップとして組み立てた後の状態を示す斜視図、図４は同クリップを組み立てる際の作用を説明するための図で、（ａ）は組み立て途中の状態を示す側断面図、（ｂ）は組み立てた後の状態を示す側断面図、図５は同クリップをパネルの取付孔に係合させる際の作用を説明するための図で、（ａ）はパネルの取付孔にクリップを挿入しようとしている状態を示す側断面図、（ｂ）はパネルの取付孔にクリップを係合させた状態を示す側断面図、図６は同クリップをパネルの取付孔に係合させた状態から取り外す際の作用を説明するための図で、（ａ）は取り外しのために操作片を内側に変位させた状態を示す側断面図、（ｂ）はパネルの取付孔からクリップを抜いた状態を示す側断面図である。
【００３１】
図３に示すように、このクリップ５０は、支柱３１および一対の弾性係止羽根３２を有するクリップ本体３０と、クリップ本体３０とは別部材の環状皿体４０とからなる。クリップ本体３０および環状皿体４０は、それぞれ合成樹脂の一体成形品として構成されている。
【００３２】
クリップ本体３０を構成する支柱３１は、取付対象物（例えばワイヤーハーネスなど）を保持する保持部材（結束バンドの基部など）に突設されており、その支柱３１の先端から支柱３１の基端３１Ａ側に向けて斜めに拡がるように、弾性係止羽根３２が一体に延設されている。
【００３３】
一対の弾性係止羽根３２は、固定対象のパネル１の取付孔２（図５参照）に支柱３１の先端側から挿入されたときに、外面が取付孔２の周縁に摺接することで一旦内側に弾性的に窄まり、自由端側の外面に設けられた係止段部３３が取付孔２の周縁を通過した段階で外側に弾性復元して、係止段部３３を取付孔２の裏面側の周縁に係合させて、それにより取付孔２からの抜けを阻止する。
【００３４】
環状皿体４０は、図３（ｂ）および図４（ａ）、（ｂ）に示すように、クリップ本体３０と組み合わせられることによって、スカート状の押圧皿体を構成するものであり、中央に、クリップ本体３０の弾性係止羽根３２を挿入可能な開口４２を有している。環状皿体４０により構成される押圧皿体は、係止段部３３が取付孔２の裏面側の周縁に係合したときに、パネル１の表面に押圧接触することで、弾性係止羽根３２との間にパネル１を挟持し、これにより、クリップ５０をガタ付きなくパネル１に固定可能とするものである。
【００３５】
各弾性係止羽根３２の自由端の先側には操作片３４が延長して設けられており、各操作片３４の先端と係止段部３３の間に位置する外面には、環状皿体４０の開口４２の周縁に嵌まることで、環状皿体４０を定位置に保持する皿保持凹部（皿保持部）３５が設けられている。この場合、皿保持凹部３５は、パネル１の取付孔２の内周に掛かる位置３６よりも弾性係止羽根３２の自由端の先端側に設けられており、環状皿体４０が必ずパネル１の表側に無理なく位置するように設定されている。
【００３６】
クリップ５０を組み立てる場合は、図３（ａ）および図４（ａ）の矢印Ｃで示すように、環状皿体４０の開口４２に、クリップ本体３０の支柱３１の先端側を挿入する。そうすると、弾性係止羽根３２を内側に窄ませながら、環状皿体４０が操作片３４の手前まで嵌って行き、最終的には弾性係止羽根３２の皿保持凹部３５に開口４２の周縁が嵌まることで、環状皿体４０がクリップ本体３０に取り付けられる。この状態において、環状皿体４０の内側の開口４２から操作片３４の先端が環状皿体４０を貫通して環状皿体４０の上側にまで突き出している。
【００３７】
また、本実施形態では、係止段部３３が、各弾性係止羽根３２の延在方向に多段（図示例では３段）に設けられており、しかも、支柱３１から係止段部３３までの距離が、弾性係止羽根３２の先端に近い段ほど大きくなるよう異ならせて設定されている。
【００３８】
次に作用を説明する。
本実施形態のクリップ５０をパネル１の取付孔２に係合させるには、図５（ａ）の矢印Ｄで示すように、支柱３１の先端側を取付孔２に挿入する。そうすると、弾性係止羽根３２の外面が取付孔２の周縁に摺接することで、弾性係止羽根３２が一旦内側に弾性的に窄まる。更に挿入すると、弾性係止羽根３２の自由端側の外面に設けられた係止段部３３が取付孔２の周縁を通過したところで、弾性係止羽根３２が外側に弾性復元して、係止段部３３が取付孔２の裏面側の周縁に係合する。それにより、取付孔２からのクリップ５０の抜けが阻止される。また、同時に押圧皿体を構成する環状皿体４０が、パネル１の表面側に押圧接触することで、パネル１が弾性係止羽根３２の係止段部３３と環状皿体４０との間に挟持され、それにより、図５（ｂ）に示すように、クリップ５０がガタ付きなくパネル１の取付孔２に係合される。
【００３９】
この状態からクリップ５０を取り外す場合は、図６（ａ）の矢印Ｅで示すように、２つの操作片３４を、ペンチや指等で摘んで内側に変位させる。そうすると、２つの弾性係止羽根３２が内側に窄まることで、係止段部３３が取付孔２の周縁から離れる。従ってそのまま、図６（ｂ）中の矢印Ｆで示すように、クリップ５０を上に持ち上げることで、取付孔２からクリップ５０を取り外すことができる。
【００４０】
このように、本実施形態のクリップ５０は、押圧皿体を、クリップ本体３０とは別部材の環状皿体４０として構成し、その環状皿体４０の内側の開口４２を通して、弾性係止羽根３２の自由端に延長して設けた操作片３４を、環状皿体４０の上側に突き出させたので、押圧皿体（環状皿体４０）の機能を阻害せずに操作片３４を設けることができ、それら操作片３４を操作することで、クリップ５０をパネル１の取付孔２から容易に取り外すことができる。しかも、押圧皿体を構成する環状皿体４０は弾性係止羽根３２の外面に設けた皿保持凹部３５により保持しているので、弾性係止羽根３２がありさえすれば、どのようなクリップにも適用することができる。また、弾性係止羽根３２を囲むように環状皿体４０が位置するので、弾性係止羽根３２の過剰変形を防止することができる。更に、このクリップ５０によれば、クリップ本体３０と環状皿体４０を別体にしているので、加工性が向上する利点も得られる。
【００４１】
また、この実施形態のクリップ５０の場合も、弾性係止羽根３２には多段に係止段部３３が設けられているので、パネル１の厚みに応じて、最適な係止段部３３を取付孔２の周縁に係止させることができ、ガタつきのない固定が可能になる。また、支柱３１から係止段部３３までの距離が、弾性係止羽根３２の先端に近い段ほど大きくなるよう異ならせて設定されているので、パネル１の取付孔２の径の大きさに応じて、最適な係止段部３３を取付孔２の周縁に係止させることができ、ガタつきのない固定が可能になる。
【００４２】
また、この実施形態のクリップでは、押圧皿体をクリップ本体３０とは別体の環状皿体４０として構成しているので、図７に示すように、環状皿体４０の他に補助の環状皿体４０Ａを用意し、これら複数の環状皿体４０、４０Ａを積層状態で弾性係止羽根３２の皿保持凹部３５に装着することにより、厚さｔの薄いパネル１の取付孔２にもガタ付きなくクリップを固定することができる。あるいは、最初から複数枚の環状皿体４０を用意しておき、パネル１の厚さｔに応じて、使用する環状皿体４０の枚数を適宜加減してもよい。そうすれば、係止段部３３の段数で調節できないパネル１の厚さの違いに対しても柔軟に対応することができる。
【００４３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４４】
１  パネル
２  取付孔
１０  クリップ
１１  支柱
１１Ａ  基端
１２  弾性係止羽根
１３  係止段部
１４  操作片
１８  押圧皿体
１８Ａ  半月状皿体
１９  隙間
５０  クリップ
３０  クリップ本体
３１  支柱
３１Ａ  基端
３２  弾性係止羽根
３３  係止段部
３４  操作片
３５  皿保持凹部（皿保持部）
４０  環状皿体
４０Ａ  補助の環状皿体
４２  開口
【図１】
2010276041.tif 000003
【図２】
2010276041.tif 000004
【図３】
2010276041.tif 000005
【図４】
2010276041.tif 000006
【図５】
2010276041.tif 000007
【図６】
2010276041.tif 000008
【図７】
2010276041.tif 000009
【図８】
2010276041.tif 000010
【図９】
2010276041.tif 000011